(57)【要約】【課題】取付孔から容易に取り外すことができる留め具を提供する。【解決手段】留め具１０は、第１頭部２０ａと、第１頭部２０ａから延びる第１脚部２２ａと、第２頭部２０ｂと、第２頭部２０ｂから延び、第１脚部２２ａと連結する第２脚部２２ｂと、を備える。第１脚部２２ａの第１係止部２８ａは、第１脚部２２ａおよび第２脚部２２ｂの対向方向と第１脚部２２ａの延出方向とに略直交する第１張出方向に張り出して、取付孔の縁に係止する。第２脚部２２ｂの第２係止部は、第１係止部２８ａの第１張出方向とは逆向きの第２張出方向に張り出して取付孔の縁に係止する。第１頭部２０ａが第２張出方向、第２頭部２０ｂが第１張出方向にずれるように、第１頭部２０ａおよび第２頭部２０ｂを相対移動させることで、第１係止部２８ａおよび第２係止部の係止が解除される。【選択図】図１
2018184989.tif 000002
【特許請求の範囲】
【請求項１】
被取付部材の取付孔に取り付けられる留め具であって、
第１頭部と、
前記第１頭部から延びる第１脚部と、
第２頭部と、
前記第２頭部から延び、前記第１脚部と連結する第２脚部と、を備え、
前記第１脚部は、前記第１脚部および前記第２脚部の対向方向と前記第１脚部の延出方向とに略直交する第１張出方向に張り出して、取付孔の縁に係止する第１係止部を有し、
前記第２脚部は、前記第１張出方向とは逆向きの第２張出方向に張り出して取付孔の縁に係止する第２係止部を有し、
前記第１頭部を前記第２張出方向、前記第２頭部を前記第１張出方向にずらすように相対移動させることで、前記第１係止部および前記第２係止部の係止が解除されることを特徴とする留め具。
【請求項２】
前記第１脚部および前記第２脚部の連結側の対向間隔は、前記第１脚部および前記第２脚部の連結端に向かって広くなることを特徴とする請求項１に記載の留め具。
【請求項３】
前記第１頭部は、表面から前記第２頭部に向かって突出して、取付孔への取付状態において前記第２頭部側に位置する第１操作部を有し、
前記第２頭部は、表面から前記第１頭部に向かって突出して、取付孔への取付状態において前記第１頭部側に位置する第２操作部を有し、
前記第１操作部および前記第２操作部を接近させることで、前記第１係止部および前記第２係止部の係止が解除されることを特徴とする請求項１または２に記載の留め具。
【請求項４】
前記第１脚部および前記第２脚部の対向方向の外向きに突出し、取付孔の縁に当接可能な第１突出部と、
前記第１脚部および前記第２脚部の対向方向の外向きに突出し、取付孔の縁に当接可能な第２突出部と、を備え、
前記第１突出部は、前記第１脚部の中央より前記第１係止部に近い位置に形成され、
前記第２突出部は、前記第２脚部の中央より前記第２係止部に近い位置に形成されることを特徴とする請求項１から３のいずれかに記載の留め具。
【発明の詳細な説明】
【技術分野】
【０００１】
本発明は、被取付部材の取付孔に留めるための留め具に関する。
【背景技術】
【０００２】
車両のパネルに内装材などの取付部材を取り付ける場合に、留め具が用いられる。特許文献１に開示されるネジ代替クリップは、一対のフランジ部と、一対のフランジ部にそれぞれ連設される一対の弾性係止片部と、弾性係止片部の側縁に形成される複数の突起とを有する。
【０００３】
特許文献１に開示される複数の突起は、一対の弾性係止片部をネジ孔に挿入したときに、ネジ溝に入り込んで係合し、ネジ代替クリップをネジ孔に固定する。ネジ代替クリップをネジ孔から抜く際は、一対のフランジ部の間に工具を差し込んで回転させ、突起をネジ溝に沿って移動させて係合を解除する。
【先行技術文献】
【特許文献】
【０００４】
【特許文献１】特開２０１４−２５５４１号公報
【発明の概要】
【発明が解決しようとする課題】
【０００５】
特許文献１に開示されるネジ代替クリップは、ネジ孔から抜く際に工具を差し込んで回転して取り外す構成であるため、容易に取り外せるものではない。
【０００６】
本発明はこのような課題に鑑みてなされたものであり、その目的は、取付孔から容易に取り外すことができる留め具を提供することにある。
【課題を解決するための手段】
【０００７】
上記課題を解決するために、本発明のある態様は、被取付部材の取付孔に取り付けられる留め具であって、第１頭部と、第１頭部から延びる第１脚部と、第２頭部と、第２頭部から延び、第１脚部と連結する第２脚部と、を備える。第１脚部は、第１脚部および第２脚部の対向方向と第１脚部の延出方向とに略直交する第１張出方向に張り出して、取付孔の縁に係止する第１係止部を有する。第２脚部は、第１係止部の第１張出方向とは逆向きの第２張出方向に張り出して取付孔の縁に係止する第２係止部を有する。第１頭部を第２張出方向、第２頭部を第１張出方向にずらすように相対移動させることで、第１係止部および第２係止部の係止が解除される。
【発明の効果】
【０００８】
本発明によれば、取付孔から容易に取り外すことができる留め具を提供できる。
【図面の簡単な説明】
【０００９】
【図１】図１（ａ）および図１（ｂ）は、第１実施例の留め具の斜視図であって、異なる方向から見た図である。
【図２】図２（ａ）は、第１実施例の留め具の正面図であり、図２（ｂ）は、留め具の側面図である。
【図３】取付部材に留めた状態の留め具の断面図である。
【図４】取付部材を被取付部材に取り付けた状態の留め具について説明するための図である。
【図５】取付部材を被取付部材から取り外す際の留め具の動作について説明する図である。
【図６】第２実施例の留め具について説明するための図である。
【図７】図７（ａ）は、留め具の正面図であり、図７（ｂ）は、留め具の側面図である。
【図８】取付部材を被取付部材から取り外す際の留め具の動作について説明する図である。
【発明を実施するための形態】
【００１０】
図１（ａ）および図１（ｂ）は、第１実施例の留め具１０の斜視図であって、異なる方向から見た図である。また、図２（ａ）は、第１実施例の留め具１０の正面図であり、図２（ｂ）は、留め具１０の側面図である。
【００１１】
留め具１０は、取付部材を被取付部材に取り付けるため、または被取付部材に留めるために用いられる。取付部材は、例えば車両用の不織布であって、断熱や吸音のために車両に設けられ、被取付部材は、車体パネルである。
【００１２】
留め具１０は、第１頭部２０ａおよび第２頭部２０ｂ（これらを区別しない場合「頭部２０」という）と、第１脚部２２ａおよび第２脚部２２ｂ（これらを区別しない場合「脚部２２」という）と、第１抜け止め部２４ａおよび第２抜け止め部２４ｂ（これらを区別しない場合「抜け止め部２４」という）と、第１突出部２６ａおよび第２突出部２６ｂ（これらを区別しない場合「突出部２６」という）と、第１係止部２８ａおよび第２係止部２８ｂ（これらを区別しない場合「係止部２８」という）と、凸部３０と、凹部３２と、窪み部３６とを備える。
【００１３】
第１頭部２０ａおよび第２頭部２０ｂは、板状フランジを半割するように、略半円状にそれぞれ形成される。図１（ａ）に示すように、第１頭部２０ａおよび第２頭部２０ｂの表面には、矢印が記されており、取付孔に取り付けた留め具１０の取り外し操作の向きを示している。頭部２０は、留め具１０の取付状態において取付部材の表面に当接する。頭部２０を半円状に形成することで、取付状態において頭部２０同士が合わさって円形になって、取付孔を塞ぐことができる。
【００１４】
第１脚部２２ａは、第１頭部２０ａの裏面から延び、板状に形成され、第２脚部２２ｂは、第２頭部２０ｂの裏面から延び、板状に形成される。脚部２２は、頭部２０の弦の中央位置から延びる。第１脚部２２ａおよび第２脚部２２ｂは連結されており、対向する。第１脚部２２ａおよび第２脚部２２ｂが対向する向きを対向方向といい、頭部２０から延びる方向を延出方向という。第１脚部２２ａおよび第２脚部２２ｂは、連結端３４を回転支点として対向方向に接近または拡開するように撓む。
【００１５】
第１抜け止め部２４ａおよび第２抜け止め部２４ｂは、図２に示すように、脚部２２から頭部２０に向かって折り返すように延出する。抜け止め部２４は、脚部２２の対向方向外側に位置し、脚部２２の連結端３４から延びる。抜け止め部２４は、基端を回転支点として撓み可能であり、脚部２２を不織布などの取付孔に差し込んだ際に抜け止めとなる。
【００１６】
第１突出部２６ａは、図２（ａ）に示すように、第１脚部２２ａの外面から対向方向の外向きに突出し、被取付部材の取付孔の縁に当接可能である。第２突出部２６ｂは、第２脚部２２ｂの外面から対向方向の外向きに突出し、取付孔の縁に当接可能である。突出部２６は、脚部２２の外面に垂直に立設される。突出部２６は、取付状態において取付孔内に入り、留め具１０の対向方向の動きを制限する。突出部２６は、頭部２０の裏面から突出してもよい。
【００１７】
第２突出部２６ｂは、図２（ｂ）に示すように、第２脚部２２ｂの中央より第２係止部２８ｂに近い位置に形成される。また、第１突出部２６ａは、第１脚部２２ａの中央より第１係止部２８ａに近い位置に形成される。突出部２６が係止部２８の近傍に形成されることで、脚部２２を取付孔に挿入する際に、係止部２８が中心軸に寄るように脚部２２が変形したときに、突出部２６が取付孔に引っ掛かりにくくできる。
【００１８】
第１係止部２８ａは、図２（ｂ）に示すように、第１脚部２２ａの側縁に形成され、第１張出方向４０に張り出す。第１張出方向４０は、脚部２２の対向方向と脚部２２の延出方向に略直交し、脚部２２の幅方向に沿う。第２係止部２８ｂは、第２脚部２２ｂの側縁に形成され、第２張出方向４２に張り出す。第２張出方向４２は、第１張出方向４０の逆方向であり、脚部２２の対向方向と脚部２２の延出方向に略直交し、脚部２２の幅方向に沿う。脚部２２の延出方向は、頭部２０から連結端３４に延びる方向である。
【００１９】
係止部２８は、頭部２０に向かって中心軸に近づくようにテーパ状に形成され、取付状態において、被取付部材の取付孔の裏縁に係止する。第１係止部２８ａおよび第２係止部２８ｂがそれぞれ逆方向に張り出す。係止部２８の張出方向は、脚部２２の拡開方向（対向方向）と略直交するため、脚部２２が拡開または接近するように撓んでも係止部２８の係止が解除されにくい。
【００２０】
凸部３０は第２頭部２０ｂから第１頭部２０ａに向かって突出して形成され、凹部３２は第１頭部２０ａに凹んで形成される。留め具１０の取付状態において、第１頭部２０ａおよび第２頭部２０ｂが合わさったときに、凸部３０および凹部３２が係合して、頭部２０の位置ずれを抑える。なお、凸部３０および凹部３２が係合した状態において、係止部２８の係止が解除される方向の頭部２０の位置ずれは可能である。
【００２１】
窪み部３６は、係止部２８とは逆側の脚部２２の側縁に窪んで形成される。取付状態において係止部２８が取付孔の縁から遠ざかる方向に変位する場合に、窪み部３６により脚部２２の側縁が取付孔の縁に当りにくくなり、脚部２２が大きく撓むことができる。
【００２２】
図２（ａ）に示すように、第１脚部２２ａおよび第２脚部２２ｂの連結側の対向間隔Ｌは、連結端３４に向かって広くなっている。第１脚部２２ａおよび第２脚部２２ｂの内面は、連結側の近くで連結端３４に向かって広がるように屈曲する。第１脚部２２ａおよび第２脚部２２ｂの対向間隔Ｌは、頭部２０から連結端３４に向かって途中まで小さくなり、連結側の近くで連結端３４に向かって広くなる。脚部２２は、連結端３４近傍で、頭部２０側の部分より薄肉に形成される薄肉部３８を有する。これにより、頭部２０が第１張出方向４０および第２張出方向４２に変位しやすいように、脚部２２の連結端３４が捻れるように撓みやすくなる。また、脚部２２の薄肉部３８も撓むため、捻れたときに連結端３４に応力が集中することを抑えることができる。
【００２３】
図３は、取付部材１４に留めた状態の留め具１０の断面図である。留め具１０は、取付部材１４に留めた後、被取付部材１２に留められる。脚部２２および抜け止め部２４を取付部材１４の取付孔１４ａに挿入すると、抜け止め部２４は、取付孔１４ａを通り抜け、取付孔１４ａより径方向外側に拡開する。これにより、抜け止め部２４が取付孔１４ａに引っ掛かって、留め具１０が取付孔１４ａから外れないようにできる。
【００２４】
図４は、取付部材１４を被取付部材１２に取り付けた状態の留め具１０について説明するための図である。図４（ｂ）に示すように、被取付部材１２の取付孔１２ａは、取付部材１４の取付孔１４ａより小さい。取付孔１２ａは丸孔である。
【００２５】
図４（ａ）に示すように、第１係止部２８ａおよび第２係止部２８ｂは逆方向に張り出しており、取付孔１２ａの裏縁に係止する。図４（ｂ）に示すように、抜け止め部２４は、取付孔１２ａを通り抜けず、抜け止め部２４の先端が取付孔１２ａの縁に当接している。これにより、取付部材１４を被取付部材１２から取り外す際に、抜け止め部２４は取付孔１２ａに引っ掛からずに抜ける。
【００２６】
図５は、取付部材１４を被取付部材１２から取り外す際の留め具１０の動作について説明する図である。図５（ａ）は留め具１０の平面図であり、図５（ｂ）は留め具１０の側面図であり、図５（ｃ）は図５（ａ）に示す留め具１０の線分Ａ−Ａ断面図である。
【００２７】
図５（ａ）に示すように、作業者は、頭部２０の矢印４４，４６に沿って、頭部２０をそれぞれ動かす。第１頭部２０ａの矢印４４は、第１係止部２８ａの第１張出方向４０と逆向きであり、第２頭部２０ｂの矢印４６は、第２係止部２８ｂの第２張出方向４２と逆向きである。
【００２８】
つまり、頭部２０を矢印４４，４６に沿って動かせば、係止部２８が取付孔１２ａの縁から離れる。第１頭部２０ａが第２張出方向に、第２頭部２０ｂが第１張出方向にずれるように、第１頭部２０ａおよび第２頭部２０ｂを相対移動させることで、第１係止部２８ａおよび第２係止部２８ｂの係止が解除される。
【００２９】
第１頭部２０ａおよび第２頭部２０ｂを矢印４４，４６に沿って相対移動させると、図５（ｂ）に示すように、連結端３４が捻れて、頭部２０および脚部２２がそれぞれ傾く。図５（ｃ）に示すように、第１係止部２８ａが取付孔１２ａの中心軸側に動き、取付孔１２ａの縁から離れて、第１係止部２８ａの係止が解除される。第１係止部２８ａとは逆側の第１脚部２２ａの側縁に窪み部３６が形成されているため、第１脚部２２ａは、取付孔１２ａ内で大きく傾くことができる。
【００３０】
なお、図２（ａ）に示す第１脚部２２ａおよび第２脚部２２ｂの連結側の対向間隔Ｌが、連結端３４に向かって広くなっていることで、連結端３４およびその近傍が撓みやすくなっており、脚部２２がそれぞれ逆向きに傾きやすくなっている。
【００３１】
このように、第１頭部２０ａおよび第２頭部２０ｂをそれぞれ逆方向に相対移動させることで、工具を使わずに係止部２８の係止を容易に解除でき、取付部材１４を被取付部材１２から容易に取り外すことができる。
【００３２】
図６は、第２実施例の留め具１００について説明するための図である。図６（ａ）は通常状態の留め具１００を示し、図６（ｂ）は取付状態の留め具１００を示す。図７（ａ）は、留め具１００の正面図であり、図７（ｂ）は、留め具１００の側面図である。
【００３３】
第２実施例の留め具１００は、図１に示す第１実施例の留め具１０と比べて、第１操作部５０ａおよび第２操作部５０ｂが設けられている点と、第１抜け止め部１２４ａおよび第２抜け止め部１２４ｂの形状が異なる。
【００３４】
第１操作部５０ａは、第１頭部２０ａの表面から第２頭部２０ｂに向かって突出して、図６（ｂ）に示す取付状態において、第２頭部２０ｂの上に位置し、第１操作部５０ａの中心が第１頭部２０ａおよび第２頭部２０ｂの境界に位置する。第２操作部５０ｂは、第２頭部２０ｂの表面から第１頭部２０ａに向かって突出して、図６（ｂ）に示す取付状態において、第１頭部２０ａの上に位置し、第２操作部５０ｂの中心が第１頭部２０ａおよび第２頭部２０ｂの境界に位置する。第１操作部５０ａは頭部２０の境界を越えて第２頭部２０ｂ側に位置するように張り出し、第２操作部５０ｂは頭部２０の境界を越えて第１頭部２０ａ側に位置するように張り出す。
【００３５】
図７（ｂ）に示すように、第１操作部５０ａおよび第２操作部５０ｂ（これらを区別しない場合、操作部５０という）は頭部２０にそれぞれ立設している。操作部５０は、取付部材１４を被取付部材１２から取り外す際に、係止部２８の係止を解除するために用いられる。
【００３６】
第１抜け止め部１２４ａおよび第２抜け止め部１２４ｂ（これらを区別しない場合、抜け止め部１２４という）は、脚部２２の中途から対向方向外向きに延出する。抜け止め部１２４は基端を支点として撓み可能であり、脚部２２および抜け止め部２４を取付孔１４ａに差し込んだ際に取付孔１４ａを通り抜けて拡開して抜け止めとなる。
【００３７】
抜け止め部１２４は、図２（ａ）に示す抜け止め部２４と比べて、短くて撓みやすい。これにより、抜け止め部１２４を取付部材１４の取付孔１４ａだけでなく被取付部材１２の取付孔１２ａも通り抜けさせることができる。取付孔１２ａから引き抜く際は、抜け止め部１２４は取付孔１２ａの裏縁に当たって下方に向かって互いに接近するように撓み、脚部２２の延出方向に沿った状態となり、取付孔１２ａを通り抜ける。
【００３８】
図８は、取付部材１４を被取付部材１２から取り外す際の留め具１００の動作について説明する図である。図８（ａ）は留め具１００の平面図であり、図８（ｂ）は留め具１００の側面図であり、図８（ｃ）は図８（ａ）に示す留め具１０の線分Ｂ−Ｂ断面図である。
【００３９】
図８（ｂ）に示すように、一対の操作部５０を手指で把持して、第１操作部５０ａおよび第２操作部５０ｂを接近させることで、第１係止部２８ａおよび第２係止部２８ｂの係止が解除される。このとき、操作部５０が第１頭部２０ａおよび第２頭部２０ｂの境界上に位置するため、操作部５０を把持しても頭部２０に回転トルクが生じにくく、スムーズに係止部２８の係止が解除される。また、操作部５０を把持して接近させるだけで、係止部２８の係止を容易に解除することができる。
【００４０】
本発明は上述の各実施例に限定されるものではなく、当業者の知識に基づいて各種の設計変更等の変形を各実施例に対して加えることも可能であり、そのような変形が加えられた実施例も本発明の範囲に含まれうる。
【００４１】
実施例では、留め具１０が取付部材を被取付部材に取り付けるために用いられる態様を示したが、この態様に限られない。取付部材と留め具１０が一体である場合、たとえば留め具１０の頭部２０に飾り部材が一体成形されている場合には、留め具１０は単に被取付部材に取り付けられるものである。
【符号の説明】
【００４２】
１０  留め具、  １２  被取付部材、  １２ａ  取付孔、  １４  取付部材、  １４ａ  取付孔、  ２０ａ  第１頭部、  ２０ｂ  第２頭部、  ２０  頭部、  ２２ａ  第１脚部、  ２２ｂ  第２脚部、  ２２  脚部、  ２４ａ  第１抜け止め部、  ２４ｂ  第２抜け止め部、  ２４  抜け止め部、  ２６ａ  第１突出部、  ２６ｂ  第２突出部、  ２６  突出部、  ２８ａ  第１係止部、  ２８ｂ  第２係止部、  ２８  係止部、  ３０  凸部、  ３２  凹部、  ３４  連結端、  ３６  窪み部、  ４０  第１張出方向、  ４２  第２張出方向、  ５０ａ  第１操作部、  ５０ｂ  第２操作部、  ５０  操作部。
【図１】
2018184989.tif 000003
【図２】
2018184989.tif 000004
【図３】
2018184989.tif 000005
【図４】
2018184989.tif 000006
【図５】
2018184989.tif 000007
【図６】
2018184989.tif 000008
【図７】
2018184989.tif 000009
【図８】
2018184989.tif 000010